(57)【要約】【課題】従来の生活状況確認システムでは、新たにセンサーを設置する等、多くの設備の設置が必要であり、また、全てのセンサーを常時動作させておく必要があり、消費電力を要するという課題を有していた。【解決手段】通信網に接続した通信機能を備えたテレビであって、登録したメールアドレスにメール送信する通信部とテレビの操作情報を格納するテレビ操作情報格納部とテレビ操作情報格納部の格納データとテレビの操作を比較し違いが発生すると通信部に違いを知らせるメール送信を指示する制御部とを有し、見守り対象者の異常を自動で検出して、見守り者にメールで連絡する。また、テレビやテレビ電話等に簡単な機能追加で、生活状況確認を実現し、常時センサーを動作させる必要がなく、テレビ操作情報に登録されている時間のみに、テレビ操作状況を確認すればよいので、省エネになる。【選択図】図１
2011227699.tif 000002
【特許請求の範囲】
【請求項１】
通信網に接続した通信機能を備えたテレビであって、
登録したメールアドレスにメール送信する通信部と、
時間を管理するタイマーとテレビを操作する操作部と、
過去の操作履歴からなるテレビの操作情報を格納するテレビ操作情報格納部と、
テレビ操作情報格納部の操作情報と操作状況を比較し違いが発生すると通信部に違いを知らせるメール送信を指示する制御部とを具備することを特徴とする生活状況確認システム。
【請求項２】
制御部が、テレビ操作情報格納部の操作情報と操作状況との違いを検出すると、テレビ操作情報格納部との違いの情報と確認操作を要求するメニューとを表示出力に合成する画像重畳部と、
テレビ操作情報格納部の情報と確認操作のメニュー表示時にテレビ操作がされない場合にのみ、メール送信を通信部に指示する制御部とを具備することを特徴とする請求項１の生活状況確認システム。
【請求項３】
制御部が、テレビ操作情報格納部の操作情報と操作状況との違いを検出すると、テレビ操作情報格納部との違いを知らせる音の出力をスピーカーに指示し、テレビ操作情報格納部の情報と確認操作を要求するメニュー表示時にテレビ操作がされないと、メール送信を通信部に指示する制御部とを具備することを特徴とする請求項２の生活状況確認システム。
【請求項４】
第一の電子メールと第二の電子メールを個別に登録した異なるメールアドレスにメール送受信する通信部と制御部が、テレビ操作情報格納部との違いを検出すると、通信部に第一の電子メールの送信を指示し、応答メールを受信しなければ、第二の電子メールの送信を指示する制御部とを具備することを特徴とする請求項１から３のいずれかに記載の生活状況確認システム。
【請求項５】
映像と音声を撮影するビデオカメラと撮影した映像と音声をファイルにし、第二のメールに添付して送信する制御部とを具備することを特徴とする請求項４に記載の生活状況確認システム。
【請求項６】
ビデオ電話機能を備えたテレビであってビデオ電話を介して、通信網を介して外部からテレビを操作するパスワードを作成し第二のメールに添付して送信する制御部とを具備することを特徴とする請求項４から５のいずれかに記載の生活状況確認システム。
【請求項７】
テレビ起動操作時刻乃至テレビ停止操作時刻乃至テレビ番組情報を格納するテレビ操作情報格納部とを具備することを特徴とする請求項１から６のいずれかに記載の生活状況確認システム。
【発明の詳細な説明】
【技術分野】
【０００１】
本発明は、テレビ、ビデオカメラを利用して、ひとり暮らしの高年齢者等の異常を検出しうるもので、通信網を介して、その状況を親族等に伝える生活状況確認システムに関するものである。
【背景技術】
【０００２】
従来の生活状況確認システムは、ひとり暮らしの高齢者等の毎日の生活パターンや生活の様子の情報を親族等に提供するものであった。具体的には、見守り対象者の各部屋や、ドアやトイレ等に、人体検知センサーや、機器センサー等を配置して、高齢者の行動を記録し、それに訪問者のレポートを追加してサーバーに蓄積し、定期的にこのデータを外部の者（家族等） に自動的に配信するようにして、日々の高齢者の生活状態を確認しようとしている。（例えば、特許文献１参照）。
【０００３】
また、見守り対象者の所在に関する情報を蓄積し、日常生活情報と対照して現在の見守り対象者に異常がないか判断し、見守り者の異常確認の電話発信を受信できるように、見守り対象者が電話機を常時身につける装備を設けようとしている。（例えば、特許文献２参照）
図１１を参照しながら、従来の生活状況確認システムについて、より詳細に説明する。図１１は、前記特許文献1 に記載された従来の生活状況確認システムを示すものである。図１１において、通信網１０６は、コンピュータネットワーク（ＬＡＮなど）や、電話網であり、電話、電子メール、映像音声データ、画像データの送受信を通信網１０６を介しておこなう。また、通信網１０６には電話の交換機やコンピュータのサーバー（図示せず）があり、電話、携帯電話、ビデオ電話の送受信サービスをおこなう。
【０００４】
管理会社２０１と見守り者２０２と訪問事業者２０３と見守り対象者宅２０４とは通信網１０６で通信可能に接続されている。見守り対象者宅２０４の各部屋に設置されたセンサーの検知信号は送受信機に送信される。この送受信機からのデータは通信網１０６を介して管理会社２０１へ送られ、管理会社２０１から見守り者２０２や訪問者２０５、訪問事業者２０３のオフィスに配信される。
【０００５】
また、訪問者２０５は見守り対象者宅２０４を訪問した際に、そこに居住する見守り対象者の健康状態や、暮らしの様子等、確認した生活状況を通信網１０６を介して管理会社２０１のデータ送信し、管理会社２０１はこの送信された確認データを上記生活状況データとともに見守り者２０２に配信していた。
【０００６】
しかしながら、特許文献１のシステムは、管理会社２０１や訪問事業者２０３のサービスの提供を受ける必要がある。また、特許文献１、特許文献２のシステムは、ともに、対象者宅２０４の各部屋に、センサーを設置するなど、新たに多くの設備の設置が必要である。また、すべてのセンサーを常時動作させておく必要があり、消費電力を要していた。さらに、これらのセンサーを設置することは見守り者２０２にとって、プライバシーが十分に保たれず、不快に感じる場合も存在していた。
【先行技術文献】
【特許文献】
【０００７】
【特許文献１】特開２００４−２９５２３２号公報
【特許文献２】特開２００２−９２７６８号公報
【発明の概要】
【発明が解決しようとする課題】
【０００８】
しかしながら、前記従来の構成では、見守り対象者の位置データの情報を収集する必要があるため、対象者宅２０４の各部屋に、センサーを設置するなど、新たに多くの設備の設置が必要であり、また、すべてのセンサーを常時動作させておく必要があり、消費電力を要するという課題を有していた。
【０００９】
また、自動で異常検出した場合に、異常の確認方法は、見守り対象者に電話して確認するか、訪問事業者２０３など第三者に確認を依頼するしかなかったという課題も有していた。
【００１０】
ここで、近年、テレビに、メール機能、ＩＰ動画取得のための通信網接続や、ビデオ電話のためのビデオカメラの接続、省エネのための人感センサーの装備が行われている。また、テレビは、リビング、寝室、個人の部屋など、家で、一番長い時間居る場所に置かれることが多い。
【００１１】
そこで、本発明は、前記従来の課題を解決するもので、テレビやビデオカメラやテレビ電話など、生活状況確認システム以外としても一般的に使用するものに対して、簡単な機能追加で、見守りを実現し、なおかつ、自動で異常発生を検出した場合は、見守り者自身が映像で状況を確認可能しうる生活状況確認システムを提供することを目的とする。
【課題を解決するための手段】
【００１２】
前記従来の課題を解決するために、本発明の生活状況確認システムは、通信網に接続した通信機能を備えたテレビであって、登録したメールアドレスにメール送信する通信部とテレビの操作情報を格納するテレビ操作情報格納部とテレビ操作情報格納部の格納データとテレビの操作を比較し違いが発生すると通信部に違いを知らせるメール送信を指示する制御部とを有し、見守り対象者の異常を自動で検出して、見守り者に連絡する。
【００１３】
本構成によって、通常テレビを見ていない時間にテレビがついている場合や、通常テレビを見ている時間にテレビがついていない場合や、通常見ているテレビ番組を見ていない場合は、テレビ操作情報格納部の格納データとテレビの操作を比較し違いが発生すると異常を検出したとして、メールアドレス登録者に異常を伝えるメールを送る。
【００１４】
また、本発明の生活状況確認システムは、異常を検出した場合に、テレビ画面に確認のメッセージとメニューを表示し、音でも知らせて、一定時間操作がなければ、メールアドレス登録者にメールを送付するようにしたものである。
【００１５】
そして、本発明の生活状況確認システムは、異常を検出した場合に、一定時間操作がなければ、第一のメールアドレス登録者に伝えるメールを送付し、応答メールがなければ、第二のメールアドレス登録者に異常を伝えるメールを送付するようにしたものである。
【００１６】
さらに、本発明の生活状況確認システムは、ビデオカメラを接続し、第二のメールアドレス登録者にテレビに接続したビデオカメラから映像を撮影してその映像ファイルを添付して異常を伝えるメールを送付するようにしたものである。
【００１７】
また、本発明の生活状況確認システムは、テレビにテレビ電話の機能を備え、第二のメールアドレス登録者に、見守り対象者のテレビに通信網からアクセスできるパスワードファイルを作成し、添付して異常を伝えるメールを送付するようにしたものである。
【発明の効果】
【００１８】
本発明の生活状況確認システムによれば、通常のテレビの操作との違いにより、見守り対象者の異常検出し、見守り者にメールで見守り対象者の異常検出を連絡し、送ってきたパスワードで見守り者は、見守り対象者のテレビにアクセスして、ビデオ電話で、テレビに接続したビデオカメラで、見守り対象者の状況を確認することができる。
【００１９】
また、テレビやビデオカメラやテレビ電話など、生活状況確認システム以外としてもよく使用するものと簡単な機能追加で、生活状況確認を実現し、常時、家中のセンサーを動作させる必要がなく、テレビ操作情報に登録されている時間のみに、テレビ操作状況を確認すればよいので、省エネになる。
【００２０】
また、見守り者が同居しない場合だけでなく、見守り者が同居していても、見守り者が外出する場合や、同じ家の他の部屋にいる場合でも、利用できる。子供を一人で留守番させる場合でも、利用可能である。
【図面の簡単な説明】
【００２１】
【図１】本発明の実施の形態１における生活状況確認システムのシステム図
【図２】本発明の実施の形態２における生活状況確認システムのシステム図
【図３】本発明の実施の形態１、実施の形態２における生活状況確認システムのテレビ操作情報格納部に格納する情報の内容の一例を示す図
【図４】本発明の実施の形態１における生活状況確認システムの異常検出時の第１の動作フローチャート
【図５】本発明の実施の形態１における生活状況確認システムの異常検出時の第２のフローチャート
【図６】本発明の実施の形態１における生活状況確認システムの異常検出時の第３のフローチャート
【図７】本発明の実施の形態２における生活状況確認システムの異常検出時の第１のフルーチャート
【図８】本発明の実施の形態２における生活状況確認システムの異常検出時の第２のフローチャート
【図９】本発明の実施の形態１、実施の形態２の異常を知らせる画面表示メッセージと選択メニューの表示例を示した図
【図１０】本発明の実施の形態１、実施の形態２の電子メールで異常を知らせるメッセージの一例を示した図
【図１１】従来の生活状況確認システムのシステム構成図
【発明を実施するための形態】
【００２２】
以下本発明を実施するための最良の形態について、図面を参照しながら説明する。
【００２３】
（実施の形態１）
図１は、本発明の実施の形態１における生活状況確認システムのシステム図である。図１において、図１１と同じ構成要素については同じ符号を用い、説明を省略する。図１において、１０１は、見守り対象者側テレビ受信装置、１０２は、見守り者側テレビ受信装置、１０３は電話、１０４は携帯電話、１０５はＰＣを示している。見守り対象者側テレビ受信装置１０１は見守り対象者が使用し、見守り者側テレビ受信装置１０２は、見守り者が使用する。
【００２４】
見守り対象者側テレビ受信装置１０１、見守り者側テレビ受信装置１０２はいずれもテレビ放送を受信し、画面に表示できるほか、通信網１０６に接続して、電子メールや、電話、ビデオ電話が、行えるものである。また、電話１０３は、通信網１０６に接続し音声で、見守り対象者側テレビ受信装置１０１と通話が可能である。携帯電話１０４は、通信網１０６に接続し、音声で、見守り対象者側テレビ受信装置１０１と通話が可能であり、電子メールの送受信が可能である。
【００２５】
見守り者側テレビ受信装置１０２とＰＣ１０５は、通信網１０６に接続されており、見守り対象者側テレビ受信装置１０１と通話が可能であり、電子メールの送受信が可能であり、図２に示すように、ビデオカメラ１０７を接続するとビデオ電話も可能である。また、見守り者側テレビ受信装置１０２、携帯電話１０４、ＰＣ１０５は、映像音声フォーマットや画像データのデコーダを有し、映像音声フォーマットの再生や表示が可能である。
【００２６】
放送受信部１は、放送信号を受信し、視聴者の操作などにより番組のテレビ信号を選局し、映像信号、音声信号、情報データに復調、復号するものである。操作部２は、視聴者が選局などの操作を行うための入力手段であり、起動／停止スイッチや所望の番組を選択して視聴するためにチャンネルのアップ・ダウンキーなどが配置される。操作部２で起動／停止スイッチは、トグルスイッチで、ＯＦＦの状態で押すとＯＮになり、ＯＮの状態で押すとＯＦＦになる。起動／停止スイッチで、ＯＦＦにすると見守り対象者側テレビ受信装置１０１はスタンバイモードになり、ＯＮにすると見守り対象者側テレビ受信装置１０１は起動する。
【００２７】
記憶部３には、登録した送信先のメールアドレスなどデータを記憶する。制御部４は、見守り対象者側テレビ受信装置１０１の各部を制御する。通信部５は、通信網１０６に接続し、電子メールなどのコンピュータ通信の送受信や、電話、携帯電話、ビデオ電話をおこなう。
【００２８】
テレビ操作情報格納部１１は、記憶部３内にあり、1日の最も早い見守り対象者側テレビ受信装置１０１の操作部２の起動／停止スイッチでＯＮにする時刻、1日の最も遅い見守り対象者側テレビ受信装置１０１の操作部２の起動／停止スイッチでＯＦＦにする時刻を曜日ごとに格納する。また、毎回視聴する番組名やその番組情報を格納する。なお、これらは一例であって、これ以外に見守り対象者の好みの番組や毎週連続する番組等を対象にすることも可能である。
【００２９】
タイマー６は時間をカウントする。画像重畳部７は放送受信部１でデコードされた映像信号と制御部４で処理されたデータ放送の画像等を重ねて表示部８に送る。表示部８は、画像重畳部７からの映像信号を画面に表示する。スピーカー９は音声切替部１０からの音声信号を音として出力する。音声切替部１０は、放送受信部１からの音声信号と制御部４からの音声信号を制御部４の制御信号により選択し、スピーカー９に送る。見守り対象者側テレビ受信装置１０１において、記憶部３の一部としてテレビ操作情報格納部１１を設ける。
【００３０】
ここで、図３に本発明の実施の形態１、実施の形態２における生活状況確認システムのテレビ操作情報格納部に格納する情報の内容の一例を示す。テレビ操作情報格納部１１に、1日の最も早い見守り対象者側テレビ受信装置１０１の操作部２の起動／停止スイッチでＯＮにする時刻、1日の最も遅い見守り対象者側テレビ受信装置１０１の操作部２の起動／停止スイッチでＯＦＦにする時刻を曜日ごとに設定する。また、毎回視聴する番組名を登録する。
【００３１】
ただし、１日の時間は、テレビ放送時間に合わせて、例えば、午前４時をスタートとし翌日の午前４時（２８時）直前までにする。1日の最も早い見守り対象者側テレビ受信装置１０１の操作部２の起動／停止スイッチでＯＮにする時刻、1日の最も遅い見守り対象者側テレビ受信装置１０１の操作部２の起動／停止スイッチでＯＦＦにする時刻は、毎日時間データを収集しそのデータから設定してもよい。例えば、毎日収集した時間データの偏差値７０の時間を計算して設定してもよい。
【００３２】
また、毎回視聴する番組を指定し、テレビ操作情報格納部１１に登録する。番組の登録方法は、ＥＰＧより、番組を選択し登録する。登録した番組を解除する場合は、登録した番組一覧より、番組名を選択し解除する。毎回視聴する番組に登録した番組を、毎回視聴しているかデータを収集して、例えば、その番組の開始時刻に登録した番組を選択している。もしくは、表示された選択メニュー表示で、選択した場合の合計が９０％を切った場合は、自動的に、登録対象外とし、９０％を超えた場合は、再登録してもよい。
【００３３】
次に、見守り対象者の異常検出方法としては、タイマー６で、曜日、時間を計り、テレビ操作情報格納部１１に曜日ごとに設定した1日の最も早い見守り対象者側テレビ受信装置１０１の操作部２の起動／停止スイッチでＯＮにする時刻になっても、見守り対象者側テレビ受信装置１０１の操作部２の起動／停止スイッチがＯＮされていなければ、異常として検出する。
【００３４】
また、テレビ操作情報格納部１１に曜日ごとに設定した1日の最も遅い見守り対象者側テレビ受信装置１０１の操作部２の起動／停止スイッチでＯＦＦにする時刻になっても、見守り対象者側テレビ受信装置１０１の操作部２の起動／停止スイッチが、ＯＦＦされていなければ、異常として検出する。また、テレビ操作情報格納部１１に登録している毎回視聴する番組が始まっても、見守り対象者側テレビ受信装置１０１の操作部２の起動／停止スイッチがＯＮになっていない場合、または、別の番組を選局したままになっている場合は、異常として検出する。
【００３５】
見守り対象者の異常検出すると、画像重畳部７で、異常を知らせるメッセージ表示と操作メニューを放送受信部１の映像信号と合成して表示部８に表示する。図９は、本発明の実施の形態１、実施の形態２の異常を知らせる画面表示メッセージと選択メニュー例である。
【００３６】
1日の最も早い見守り対象者側テレビ受信装置１０１の操作部２の起動／停止スイッチでＯＮにする時刻になっても、見守り対象者側テレビ受信装置１０１の操作部２の起動／停止スイッチがＯＮされていない場合の検出は、見守り対象者側テレビ受信装置１０１はスタンバイ状態にあり、タイマー６が設定時刻を検出して、設定時刻になると、前記異常を検出して、見守り対象者側テレビ受信装置１０１を起動して、異常を知らせるメッセージ表示として、「設定時刻に、テレビの起動／停止スイッチが、ＯＮされていません。」を表示し操作メニューとして「継続」、「停止」の選択メニューを表示する。
【００３７】
表示部８に表示した異常を知らせるメッセージ表示と操作メニューは、前記操作メニューを操作すると画像重畳部７での前記合成を中止し、表示部８での異常を知らせるメッセージ表示と操作メニューの表示も中止する。つまり、操作メニューで、「継続」を選択すると見守り対象者側テレビ受信装置１０１は起動したままになり、「停止」を選択すると見守り対象者側テレビ受信装置１０１は、スタンバイ状態になる。
【００３８】
1日の最も遅い見守り対象者側テレビ受信装置１０１の操作部２の起動／停止スイッチでＯＦＦにする時刻になっても、見守り対象者側テレビ受信装置１０１の操作部２の起動／停止スイッチがＯＦＦされていない場合の検出は、タイマー６が時間を計測して、設定時刻になると、前記異常を検出して、異常を知らせるメッセージ表示として、「設定時刻に、テレビの起動／停止スイッチが、ＯＦＦされていません。」を表示し操作メニューとして「継続」、「停止」の選択メニューを表示する。
【００３９】
操作メニューで、「継続」を選択すると見守り対象者側テレビ受信装置１０１は起動したままになり、「停止」を選択すると見守り対象者側テレビ受信装置１０１は、スタンバイ状態になる。
【００４０】
また、見守り対象者側テレビ受信装置１０１が毎回視聴する番組に登録された番組の視聴確認は、テレビ放送の情報データの番組情報から、その番組の開始時刻とチャンネルを抽出し、タイマー６で、その時間になったら、放送受信部１が、そのチャンネルを選局しているかどうかで判断する。
【００４１】
毎回視聴する番組に登録された番組の放送が開始される時刻になり、見守り対象者側テレビ受信装置１０１の操作部２の起動／停止スイッチがＯＦＦの場合、見守り対象者側テレビ受信装置１０１はスタンバイ状態にあり、タイマー６が番組の開始時間になると、前記異常を検出して、見守り対象者側テレビ受信装置１０１を起動して、放送受信部１は、そのチャンネルを選局して、その番組の映像、音声を、表示部８、スピーカー９に出力する。また、異常を知らせるメッセージ表示として、「登録している＊＊番組が、始まります。」と操作メニューとして「継続」、「停止」の選択メニューを画像重畳部７で放送受信部１の映像信号を合成して表示する。
【００４２】
操作メニューで、「継続」を選択すると見守り対象者側テレビ受信装置１０１は起動したままになり、「停止」を選択すると見守り対象者側テレビ受信装置１０１は、スタンバイ状態になる。
【００４３】
また、毎回視聴する番組に登録された番組の放送が開始される時刻になり、他のチャンネルを視聴している場合は、異常を知らせるメッセージ表示として、「登録している＊＊番組が、始まります。」と操作メニューとして「継続」、「変更」の選択メニューを画像重畳部７で放送受信部１の映像信号を合成して表示する。操作メニューで、「継続」を選択すると現在選択されているチャンネルのままになり、「変更」を選択すると放送受信部１で、登録している番組のチャンネルに変更する。
【００４４】
但し、設定した時刻を覚えていない場合や登録した番組がはじまったことに気がつかないこともあるので、まずは、画面に表示して知らせる。この表示が現れても、テレビの操作がされないのは、何らかの異常があるか、テレビを見ていない場合である。従って、前記の異常を知らせるメッセージ表示と操作メニュー表示をタイマー６で５分間計測し、前記操作メニューでの操作がない場合は、制御部４より音声切替部１６を制御して放送受信部１の音声信号から切換えてスピーカー９より警告音を出力する。
【００４５】
警告音は、タイマー６で１分間を計測し、１分間に達した場合は止める。警告音を発している間に、前記操作メニューが操作されれば、警告音を止める。警告音のスピーカー９出力については、音声切替部１６に変えて警告音と放送受信部１の音声信号を合成して出力してもよい。テレビを見ていない場合でも、警告音が聞こえる範囲にいて、特に異常がなければ、テレビの操作は可能である。
【００４６】
図１０は、本発明の実施の形態１、実施の形態２の電子メールで異常を知らせるメッセージ例である。第一のメール送付、第二のメール送付で、共通のメッセージが使用可能である。第一のメールアドレスは、見守り対象者のメールアドレスで、第二のメールアドレスは、見守り者のメールアドレスである。
【００４７】
メールの文面は、1日の最も早い見守り対象者側テレビ受信装置１０１の操作部２の起動／停止スイッチでＯＮにする時刻になっても、操作部２の起動／停止スイッチがＯＮされていなければ、「設定時刻に、テレビの起動／停止スイッチが、ＯＮされていません。」とし、1日の最も遅い見守り対象者側テレビ受信装置１０１の操作部２の起動／停止スイッチでＯＦＦにする時刻になっても、操作部２の起動／停止スイッチがＯＦＦされていなければ、「設定時刻に、テレビの起動／停止スイッチが、ＯＦＦされていません。」とする。
【００４８】
毎回視聴する番組に登録された番組の放送が開始される時刻なっても、見守り対象者側テレビ受信装置１０１で設定のチャンネルが選局されていなければ、「登録している＊＊番組が、始まります。」とする。
【００４９】
なお、見守り対象者側テレビ受信装置１０１は、異常を知らせる第一のメール送付先のメールアドレスを事前に登録する。１人でも複数のメールアドレスを持っている場合は、複数のメールアドレスを設定可能にする。
【００５０】
前記異常を知らせるメッセージ表示と操作メニュー表示が５分経過後、もしくは、警告音出力１分経過後に、操作メニューでの操作がない場合は、異常を知らせる第一のメール送付先の登録されたメールアドレスに、通信部５は、電子メールを送付する。
【００５１】
前記メール受信者は、メール受信が確認できれば、前記メールをすぐに空（メッセージ無し）メール返信する。返信したメールは、見守り対象者側テレビ受信装置１０１の通信部５が、受信する。制御部４は、受信したメールの送信者欄のメールアドレスと第一のメール送付先の登録されているメールアドレスを比較し、一致していれば、前記送付の電子メールに対し、応答ありとして前記異常を知らせるメッセージ表示と操作メニュー表示を表示部８から消す。
【００５２】
異常検出前の状態が、スタンバイ状態であったならば、見守り対象者側テレビ受信装置１０１を、スタンバイ状態にもどす。外出していて、テレビの警告音も聞こえない状態でも、携帯電話に電子メールが送ってくれば、認識することが可能になる。
【００５３】
異常を知らせる第一のメール送付先の登録されたメールアドレスに、電子メールを送付した後、タイマー６で、５分を計測する。その間に応答メールがない場合は、第二の
メール送付先の登録されたメールアドレスに、通信部５は、電子メールを送付する。見守り対象者側テレビ受信装置１０１は、異常を知らせる第二のメール送付先のメールアドレスを事前に登録する。また、電話（携帯電話含む）で、異常を知らせる場合は、その電話番号を、登録する。
【００５４】
見守り者が複数いる場合や、１人でも複数のメールアドレスを持っている場合は、複数のメールアドレスを設定可能にする。メールアドレスが複数されている場合は、電子メールのあて先に、設定されたすべてのメールアドレスを設定して、送信する。また、電話の場合は、異常を知らせる電話番号が、複数ある場合は、複数の電話番号を設定可能にする。
【００５５】
ここで、図４は、本発明の実施の形態１における生活状況確認システムのテレビの動作フローの例１として、異常検出→メニュー表示→メール送付のフローを示す。
【００５６】
ステップ１：タイマー６を起動し、曜日、時間を計測する。ステップ２：テレビ操作情報格納部の設定時間とタイマー６の時間を比較する。設定時間と一致していれば、異常検出Ｓ３に進む。設定時間と一致していなければ、一致するまで、繰り返しステップ１、２が繰り返される。
【００５７】
ステップ３：テレビ操作情報格納部の設定内容と合っているか比較する。一致している場合には、テレビ操作情報格納部の設定時間（ステップ２）に進み、次の設定時間に一致するまで待つ。一致していなければ、画面に異常検出メッセージと操作メニューを表示ステップ４に進む。ステップ４：画面に異常検出メッセージと操作メニューを表示する。ステップ５：タイマー６で５分の計測をスタートする。ステップ６：操作メニューの操作があれば、タイマーカウント停止Ｓ７に進む。操作メニューの操作がなければ、タイムオーバーＳ９に進む。
【００５８】
ステップ７：タイマー６での５分計測を止める。ステップ８：画面に異常検出メッセージと操作メニューの表示を消す。テレビ操作情報格納部の設定時間？（ステップ２）に進む。ステップ９：タイマー６計測で、タイムオーバーならば（５分たてば）、メール送付Ｓ１０に進む。タイムオーバーでなければ、操作なしＳ６に進む。ステップ１０：異常検出のメールをメールアドレス登録者（見守り者）に送付する。
【００５９】
図５は、本発明の実施の形態１における生活状況確認システムのテレビの動作フローの例２として、異常検出→メニュー表示→音声出力→メール送付のフローを示す。なお、図４と同じステップについては同じ符号を用い、説明を省略する。
【００６０】
ステップ１１：異常を知らせる音を出力する。ステップ１２：タイマー６で１分の計測をスタートする。ステップ１３：操作メニューの操作があれば、タイマーカウント停止Ｓ１４に進む。操作メニューの操作がなければ、タイムオーバーＳ１７に進む。ステップ１４：タイマー６での１分計測を止める。
【００６１】
ステップ１５：画面に異常検出メッセージと操作メニューの表示を消す。ステップ１６： 異常を知らせる音停止。テレビ操作情報格納部の設定時間？（ステップ２）に進む。ステップ１７：タイマー６計測で、タイムオーバーならば（１分たてば）、メール送付Ｓ１０に進む。タイムオーバーでなければ、操作なしＳ１３に進む。
【００６２】
図６は、本発明の実施の形態１における生活状況確認システムのテレビの動作フローの例３として、異常検出→メニュー表示→音声出力→第一、第二のメール送付のフローを示す。図４、図５と同じステップについては同じ符号を用い、説明を省略する。
【００６３】
ステップ１８：異常検出のメールを第一のメールアドレス登録者（見守り対象者）に送付する。ステップ１９：タイマー６で５分の計測をスタートする。ステップ２０：第一のメールアドレス登録者（見守り対象者）の応答メールが来ればタイマーカウント停止Ｓ２１に進む。来なければ、操作なしＳ２４に進む。ステップ２１：タイマー６での５分計測を止める。ステップ２２：画面に異常検出メッセージと操作メニューの表示を消す。ステップ２３：異常を知らせる音停止。テレビ操作情報格納部の設定時間？（ステップ２）に進む。
【００６４】
ステップ２４：操作メニューの操作があれば、タイマーカウント停止Ｓ２１に進む。操作メニューの操作がなければ、タイムオーバーＳ２５に進む。ステップ２５：タイマー６計測で、タイムオーバーならば（５分たてば）、第２メール送付Ｓ２６に進む。タイムオーバーでなければ、メール応答なしＳ２０に進む。ステップ２６：異常検出のメールをメールアドレス登録者（見守り者）に送付する。
【００６５】
異常を検出した場合、電子メールの場合は、見守り対象者側テレビ受信装置１０１は、通信部５より、通信網１０６を介して見守り者の携帯電話１０４もしくは、ＰＣ１０５、もしくは、テレビ受像機１０２に、電子メールを送る。電話の場合は、音声で、メールの文面と見守り対象者の名前を何度も繰り返す。電話は、相手が出ない場合も含め、タイマー６で時間を切って、次の相手先に電話をかける。異常検出を伝えるメールの文面、表示部８に表示するメッセージ、音声のメッセージは、内容を的確に伝えるものであれば、変更してもよい。また、タイマー６の前記計測時間５分、１分は、変更してもよい。
【００６６】
かかる構成によれば、通信網に接続した通信機能を備えたテレビであって、登録したメールアドレスにメール送信する通信部とテレビの操作情報を格納するテレビ操作情報格納部とテレビ操作情報格納部の格納データとテレビの操作を比較し違いが発生すると通信部に違いを知らせるメール送信を指示する制御部とを有することにより、通常のテレビの操作に違いにより、見守り対象者の異常検出し、見守り者にメールを送付することになり、見守り対象者の異常検出を見守り者に連絡することができる。
【００６７】
（実施の形態２）
図２は、本発明の実施の形態２における生活状況確認システムのシステム図である。図２において、図１と同じ構成要素については同じ符号を用い、説明を省略する。図２において、ビデオカメラ１０７は、映像音声フォーマットのエンコーダを内蔵し、撮影した映像音声信号をファイルに落とす。ビデオカメラ１０７は、見守り対象者側テレビ受信装置１０１、見守り者側テレビ受信装置１０２、ＰＣ１０５に接続可能である。
【００６８】
ビデオカメラ１０７の向きを操作で上下左右に変更できる。また、映像・音声信号と操作制御信号のインターファースを持ち、ビデオカメラ接続部１２を介して、外部からビデオカメラ１０７を操作することも可能である。ビデオカメラ接続部１２は、映像音声信号を受信し、ビデオカメラの制御信号を送受信する。見守り対象者側テレビ受信装置１０１とビデオカメラ１０７は、ビデオカメラ接続部１２で接続し、見守り対象者側テレビ受信装置１０１から、ビデオカメラ１０７を操作し、起動、停止、カメラの向きを上下左右に変更したり、ズームイン（拡大）、ズームアウト（縮小）することが可能である。
【００６９】
なお、ビデオカメラ１０７に、映像音声フォーマットのエンコーダを内蔵しなくても、見守り対象者側テレビ受信装置１０１に内蔵してエンコードしてもよい。また、ビデオカメラ１０７を見守り対象者側テレビ受信装置１０１に内蔵してもよい。
【００７０】
次に、図７は、本発明の実施の形態２における生活状況確認システムのテレビの動作フローの例１として、異常検出→メニュー表示→音声出力→第一、第二のメール（映像ファイル添付）送付のフローを示す。なお、図４、図５、図６と同じステップについては同じ符号を用い、説明を省略する。
【００７１】
ステップ２７：ビデオカメラ１０７で、映像を撮影し、映像音声ファイルを作成する。ステップ２８：映像音声ファイルを添付した異常検出のメールをメールアドレス登録者（見守り者）に送付する。第二のメール送付するときに、制御部４は、ビデオカメラ１０７をビデオカメラ接続部１２を介して制御して見守り対象者側テレビ受信装置１０１の前の映像を撮影し、映像音声フォーマットのファイルにエンコードして、映像ファイルにして、第二のメールに添付して送付する。
【００７２】
第二のメールを受信した見守り者は、携帯電話１０４、ＰＣ１０５、見守り者側テレビ受信装置１０２で、映像ファイルを再生して、見守り対象者側テレビ受信装置１０１の前の映像を確認する。ビデオカメラ１０７に変えて、デジタルカメラをテレビ受像機１０１に接続し、静止画をファイル化して添付してもよい。また赤外線センサーで、温度を感知し、人の存在を認識する人感センサーで、見守り対象者側テレビ受信装置１０１の前を探知して、人の有無の結果を電子メールのメッセージとして伝えてもよい。この構成により、電子メールに添付された映像、画像で、見守り対象者が、テレビの前の様子を確認することが可能となる。
【００７３】
図８は、本発明の実施の形態２における生活状況確認システムのテレビの動作フローの例１として、異常検出→メニュー表示→音声出力→第一、第二のメール（映像ファイル、パスワードファイル添付）送付のフローを示す。なお、図４、図５、図６、図７と同じステップについては同じ符号を用い、説明を省略する。
【００７４】
ステップ２９：見守り対象者側テレビ受信装置１０１を通信網１０６を介して遠隔から操作するパスワードファイルを作成する。ステップ３０：パスワードファイルと映像音声ファイルを添付した異常検出のメールをメールアドレス登録者（見守り者）に送付する。なお、パスワードファイルを送付する場合は、映像撮影Ｓ２７とメールへの映像音声ファイルの添付は、行わなくてもよい。
【００７５】
見守り対象者側テレビ受信装置１０１が通信網１０６を介して、操作できるように、外部からのアクセスパスワードを設け、そのパスワードを制御部４が作成し、第二のメールに前記パスワードを暗号化したパスワードファイルを送付する。パスワードファイルの暗号化を解凍するパスワードは、固定で、見守り者には、事前に伝えて置くことも可能である。見守り対象者側テレビ受信装置１０１のアクセスパスワードの有効期間は発効より１日とする。ただし、１０回連続誤ったパスワードでアクセスされるとアクセスパスワードを変更し、第二のメールのメールアドレス宛に暗号化したパスワードファイルを再送付する。アクセスパスワードの有効期間やアクセスパスワード変更については、前記通りでなくてもよい。
【００７６】
見守り者は、通信網１０６を介して、送付された外部からのアクセスパスワードを使用して見守り対象者側テレビ受信装置１０１にアクセスし、ビデオ電話のパスを確立する。ビデオ電話のパスが確立されると、ビデオ電話のパスが確立したこと知らせる電子メールを、第二のメール送付先に登録したすべてのメールアドレスを宛先に見守り対象者側テレビ受信装置１０１は、送付する。
【００７７】
これにより、ビデオ電話で、状況確認していることがわかる。ビデオカメラ１０７を操作して、ビデオカメラ１０７の向き等を操作して、見守り対象者側テレビ受信装置１０１の前の映像を確認できる。ビデオカメラ接続部１２を介してビデオカメラ１０７を操作して見守り対象者側テレビ受信装置１０１設置の部屋の詳細な映像が確認可能になる。
【００７８】
ビデオ電話で状況を確認した人は、第二のメール送付先に登録したすべてのメールアドレスを宛先に、状況報告のメールを送ると、第二のメール送付先に登録したすべてのメールアドレスの持ち主は、状況を確認することができる。
【００７９】
また、必要な場合は、異常検出がされていなくても、見守り対象者の操作で、外部からのアクセスパスワードを作成し、第二のメール送付先の先頭に登録されているメールアドレスのみに前記パスワードを暗号化したパスワードファイルを送付する。
【００８０】
また、見守り対象者側テレビ受信装置１０１の操作に見守り対象者が不慣れな場合は、外部からのアクセスパスワードを使って、見守り者が、見守り対象者に代わって、1日の最も早い見守り対象者側テレビ受信装置１０１の操作部２の起動／停止スイッチでＯＮにする時刻の設定、1日の最も遅い見守り対象者側テレビ受信装置１０１の操作部２の起動／停止スイッチでＯＦＦにする時刻の設定、毎回視聴する番組名登録、第一、第二のメールアドレス登録、設定などのメンテナンスを行うことができる。
【００８１】
また、登録した第二のメールアドレスを削除されると、そのメールアドレスにメールアドレス設定削除のメールを送る。第二のメールアドレスは、登録時にそのメールアドレスに登録のメールを送り、返信のメールが返ってくれば、本登録になる。返信メールには、名前とアカウント名を記載する。本登録時には、メールアドレスとともに、名前とアカウント名も登録される。本登録されると現在登録されているメールアドレスと名前とアカウント名の一覧が、登録メールすべてに送られる。
【００８２】
かかる構成によれば、ビデオカメラをビデオカメラ接続部でテレビ受信装置に接続し、制御部で、パスワードを作成することにより、見守り対象者宅のテレビ受信装置を設置した部屋の状況を、通信網を介して見守り者は確認にすることができる。
【００８３】
見守り者が同居せず見守り対象者が１人暮らしの場合や、見守り者が同居しているが、別の部屋にいる場合、見守り者が外出のために、見守り対象者が、家に１人になってしまう場合や子供を部屋で１人にする場合でも使用できる。
【産業上の利用可能性】
【００８４】
本発明にかかる生活状況確認システムは、テレビやビデオカメラやテレビ電話など、生活状況確認システム以外としてもよく使用するものと簡単な機能追加で、通常のテレビの操作との違いにより、見守り対象者の異常検出し、見守り者にメールで見守り対象者の異常検出を連絡し、見守り者は、送ってきたパスワードで見守り対象者のテレビにアクセスして、ビデオ電話で、テレビに接続したビデオカメラで、見守り対象者の状況を確認することが可能になるので、ひとり暮らしの高年齢者の生活状況を、通信網を介して、親族等に伝える生活状況確認システム等として有用である。
【符号の説明】
【００８５】
１    放送受信部
２    操作部
３    記憶部
４    制御部
５    通信部
６    タイマー
７    画像重畳部
８    表示部
９    スピーカー
１０    音声切替部
１１    テレビ操作格納部
１２    ビデオ接続部
１０１    見守り対象者側テレビ受信装置
１０２    見守り者側テレビ受信装置
１０３    電話
１０４    携帯電話
１０５    ＰＣ
１０６    通信網
１０７    ビデオカメラ
２０１    管理会社
２０２    見守り者
２０３    訪問事業者
２０４    見守り対象者宅
２０５    訪問者
【図１】
2011227699.tif 000003
【図２】
2011227699.tif 000004
【図３】
2011227699.tif 000005
【図４】
2011227699.tif 000006
【図５】
2011227699.tif 000007
【図６】
2011227699.tif 000008
【図７】
2011227699.tif 000009
【図８】
2011227699.tif 000010
【図９】
2011227699.tif 000011
【図１０】
2011227699.tif 000012
【図１１】
2011227699.tif 000013